(57)【特許請求の範囲】
【請求項１】
折り畳み可能なベースシートと、展開時のベースシートに着脱可能に取り付けられる折り畳み可能な標識シートとからなり、
前記ベースシートの外周部に、当該ベースシートの展開時の形状を保持させる板ばねを備え、
前記ベースシートの外周部に、自動車の開いた状態にある後部トランクのフックやワゴン車のバックドアなど取付対象物に対して取付可能な取付部材が設けられ、
前記標識シートは、表面に標識が表示された再帰性反射シートにより構成され、
前記ベースシートの標識シート取付面及び前記標識シートの裏面に、互いに着脱可能な面ファスナーが貼着され、
前記取付部材は吸盤付きフックからなる
ことを特徴とする携帯標識。
【発明の詳細な説明】
【０００１】
【発明の属する技術分野】
本発明は、携帯標識、詳しくは、携帯に便利な道路標識など標識に関する。ここで、道路標識とは、道路法や道路交通法などで定められている道路標識に限定されるものではなく、広く、道路に関連する標識をいい、また、標識とは、医療用標識など道路標識以外の一般的な標識（サイン的な文字や絵柄を含む）を含むものとする。
【０００２】
【従来の技術】
一般に、道路標識には、案内標識、警戒標識、規制標識、指示標識、補助標識のように、道路に定着されて使用されるものが多いが、道路標識の中には、停止標示器材（通常、道路上で故障したり事故をおこした自動車などの周囲に配置され、この自動車の存在を走行中の他の自動車に知らせるための器材であり、三角標示ともいわれる。）や、カラーコーン（道路工事中の区域などを走行中の自動車などに知らせるための円錐形状をした器材）などのように、必要に応じて道路上に置かれて使用される携帯可能な道路標識がある。
【０００３】
また、従来の道路標識には、緊急時のインフォメーションとしての標識は無かった。
【０００４】
【発明が解決しようとする課題】
しかしながら、上記のような携帯可能な道路標識は、一個当りの重量が重くまた嵩張るため、携帯に不便であった。
【０００５】
本発明は、上記のような従来の問題点を解決し、緊急時のインフォメーションとしての標識として有用であり、かつ、携帯に便利な道路標識など標識を提供することを目的としてなされたものである。
【０００６】
【課題を解決するための手段】
本発明の携帯標識は、折り畳み可能なベースシートと、展開時のベースシートに着脱可能に取り付けられる折り畳み可能な標識シートとからなり、前記ベースシートの外周部に、当該ベースシートの展開時の形状を保持させる板ばねを備えることを特徴とする。
【０００７】
この携帯標識は、ベースシートと標識シートとが分離した別個の部材からなり、この携帯標識を持ち運ぶときには、ベースシート及び標識シートをともに折り畳んだコンパクトな状態にして持ち運ぶことができる。また、この携帯標識を標識として使用するときには、ベースシート及び標識シートをともに展開し、ベースシートに標識シートを取り付けることによって標識として使用することができる。この携帯標識を使用するとき、複数の異なる標識が表示された標識シートを予め用意しておくと、これらの標識シートの中から、その使用場所に適合した標識が表示された標識シートを選択してベースシートに取り付けることにより、使用場所に適合した標識を現場で簡単に作り出すことができる。
【０００８】
ここで、前記ベースシートの外周部に、取付対象物に対して取付可能な取付部材を設けることにより、携帯標識とは別体の何らかの取付具を用いなくても、簡単に携帯標識を取付対象物に固定させることができる。
【０００９】
また、前記標識シートを、表面に標識が表示された再帰性反射シートにより構成することにより、夜間走行中の自動車に対し標識を明瞭に視認させることができる。
【００１０】
また、前記ベースシートの標識シート取付面及び前記標識シートの裏面に、互いに着脱可能な面ファスナーを貼着させることにより、標識シートをフラットな状態でベースシートに取り付けることができる。
【００１１】
また、前記取付部材が吸盤とフックとを含むものとすると、取付対象物に応じた適切な取付方法を選択することが可能になる。
【００１２】
【発明の実施の形態】
以下、本発明の一実施形態を図面に基づいて説明する。
【００１３】
図１は、一実施形態に係る携帯標識のベースシートの平面図、図２は、同携帯標識の標識シートの平面図、図３は、ベースシートの取付部材の構成図、図４は、標識シートの断面構成図、図５は、携帯標識の使用態様図、図６は、携帯標識の他の使用態様図、図７は、ベースシートの折り畳み方法の説明図、図８は、標識シートの折り畳み方法の説明図、図９及び図１０は、それぞれ他の標識シートの平面図をそれぞれ示す。
【００１４】
本実施形態に係る携帯標識１は、図１に示すベースシート２と、図２に示す標識シート３とから構成される。
【００１５】
ベースシート２は、円形状にカットされた布２１を備える。布２１の外周部には、円環状に板ばね２２が埋設されている。板ばね２２は、ベースシート２を折り畳み可能にするとともに、展開時には、布２１に張りを与え、展開時の形状（図１図示の状態に対応する。）を保持する作用をするものである。
【００１６】
また、取付対象物（この携帯標識１が取り付けられる対象物であり、例えば、自動車の開いた状態にある後部トランクのフックや、ワゴン車のバックドアなど）に対して取付可能な取付部材２３が布２１の外周部に設けられている。取付部材２３は、図３に示すように、フック２３Ａと、このフック２３Ａに係止された吸盤２３Ｂとから構成される。フック２３Ａは、その基部が回動自在に連結金具２３Ｃに連結されている。連結金具２３Ｃは、布２１の外周に縫い付けられた金具保持布２３Ｄによって回動自在に保持されている。
【００１７】
さらに、複数の平面ファスナー２４（一般に、マジックテープと称されている。）が、ベースシート２の布２１の表面２１ａの適宜箇所に縫い付けられている。
【００１８】
標識シート３は、表面３ａに標識（道路標識を含む標識であり、図２には「車両通行止め」の道路標識が表示されている。）が表示された再帰性反射シートにより構成される。この再帰性反射シート３は、折り畳み可能に構成されており、図４に示すように、樹脂製シート３１、接着剤層３２、膠着剤層３３、反射膜３４、ガラスビーズ３５、空気層３６、透明プラスチックフィルム３７、透明インキ３８、保護コーティング膜３９からなる積層構造をしている。この再帰性反射シート３は、当った光を光源方向に反射する作用をするため、光源側のドライバーにとって、非常に明るく光って見え、標識の視認性にきわめて優れている。
【００１９】
また、標識シート３の裏面３ｂには、ベースシート２の平面ファスナー２４に対し着脱可能な平面ファスナー４０が両面テープ又は接着剤などによって貼着されている。
【００２０】
本実施形態に係る携帯標識１は、ベースシート２の平面ファスナー２４に標識シート３の平面ファスナー４０を接合させることによって完成物となり標識として使用可能になる。
【００２１】
本実施形態に係る携帯標識１の使用態様としては種々のものが考えられるが、図５及び図６にその代表例を示す。
【００２２】
図５に示した使用態様は、自動車５０の後部トランクを開き、トランクの蓋５１側のフック５２とボディ５３側のフック５４にそれぞれ携帯標識１のフック２３Ａを引っ掛け、トランクの蓋５１に作用する開方向への付勢力を利用して携帯標識１の姿勢を保つようにした使用態様である。一方、図６に示した使用態様は、ワゴンタイプの自動車５０のバックドア５５に吸盤２３Ｂを吸着させて使用するようにした使用態様である。
【００２３】
次に、ベースシート２及び標識シート３の折り畳み方法について、図７及び図８に基づいて簡単に説明する。
【００２４】
ベースシート２については、図７（Ａ）に示すように、展開状態にあるベースシート２の両端を両手で掴み、図７（Ｂ）に示すように、両手でベースシート２に対して捻りを加える。すると、ベースシート２は図７（Ｃ）に示すように上下方向に三つ折りにされるような変形をし、さらに図７（Ｄ）に示すような変形を経て、図７（Ｅ）に示すような最終的な三つ折り状態となる。このように、ベースシート２は折り畳み可能であり、折り畳まれた状態はコンパクトである。
【００２５】
一方、標識シート３については、図８（Ａ）に示すような展開状態にある標識シート３を図８（Ｂ）に示すように横方向に四つ折りにし、さらに、図８（Ｃ）に示すように縦方向に四つ折りする。これにより、図８（Ｄ）に示すようなコンパクトな折り畳み状態となる。
【００２６】
このように折り畳まれたベースシート２及び標識シート３は、例えば収納袋（図示せず）に収納されて持ち運ばれる。そして、使用時には、ベースシート２及び標識シート３を展開状態にして使用する。なお、ベースシート２は、板ばね２２の弾性復帰力により瞬時に展開できる。
【００２７】
以上説明したように、本実施形態に係る携帯標識１は、ベースシート２と標識シート３とが分離した別個の部材からなり、この携帯標識１を持ち運ぶときには、ベースシート２及び標識シート３をともに折り畳んだコンパクトな状態にして持ち運ぶことができる。また、この携帯標識１を標識として使用するときには、ベースシート２及び標識シート３をともに展開し、ベースシート２に標識シート３を取り付けることによって標識として使用することができる。この携帯標識１を使用するとき、複数の異なる標識が表示された標識シート３を予め用意しておくと、これらの標識シート３の中から、その使用場所に適合した標識が表示された標識シート３を選択してベースシート２に取り付けることにより、使用場所に適合した標識を現場で簡単に作り出すことができる。
【００２８】
また、ベースシート２の外周部に、取付対象物に対して取付可能な取付部材２３を設けたことにより、携帯標識１とは別体の何らかの取付具を用いなくても、簡単に携帯標識１を取付対象物に固定させることができる。
【００２９】
また、標識シート３を、表面３ａに標識が表示された再帰性反射シートにより構成したことにより、夜間走行中の自動車に対し標識を明瞭に視認させることができる。
【００３０】
また、ベースシート２の標識シート取付面２１ａ及び標識シート３の裏面３ｂに、互いに着脱可能な面ファスナー２４、４０を貼着させることにより、標識シート３をフラットな状態でベースシート２に取り付けることができる。
【００３１】
また、取付部材２３をフック２３Ａと吸盤２３Ｂで構成したため、取付対象物に応じた適切な取付方法を選択することが可能になる。なお、取付部材２３は、その他に磁石であってもよい。
【００３２】
また、標識シート３は、図９に示すような絵柄、図１０に示すような文字が表示されたものであってもよい。
【００３３】
【発明の効果】
本発明は、折り畳み可能なベースシートと標識シートとからなる携帯標識であるため、携帯にきわめて便利になり、緊急時のインフォメーションとしての標識として有用なものとなる。
【図面の簡単な説明】
【図１】本発明の一実施形態に係る携帯標識のベースシートの平面図である。
【図２】同携帯標識の標識シートの平面図である。
【図３】ベースシートの取付部材の構成図である。
【図４】標識シートの断面構成図である。
【図５】携帯標識の使用態様図である。
【図６】携帯標識の他の使用態様図である。
【図７】ベースシートの折り畳み方法の説明図である。
【図８】標識シートの折り畳み方法の説明図である。
【図９】他の標識シートの平面図である。
【図１０】さらに他の標識シートの平面図である。
【符号の説明】
１    携帯標識
２    ベースシート
２２    板ばね
２３    取付部材
２３Ａ    フック
２３Ｂ    吸盤
２４    面ファスナー
３    標識シート
３ａ    表面
３ｂ    裏面
４０    面ファスナー
【図１】
0003640016.tif 000002
【図２】
0003640016.tif 000003
【図３】
0003640016.tif 000004
【図４】
0003640016.tif 000005
【図５】
0003640016.tif 000006
【図６】
0003640016.tif 000007
【図７】
0003640016.tif 000008
【図８】
0003640016.tif 000009
【図９】
0003640016.tif 000010
【図１０】
0003640016.tif 000011